(57)【要約】      （修正有）【課題】ユーザが携帯式電子装置の背面のデザインを見ることができる携帯式電子装置用保護ケースを提供する。【解決手段】携帯式電子装置用保護ケース１０は、底壁１１と、周壁１３と、底壁１１及び周壁１３により取り囲まれて形成された収容凹部と、を備える。底壁１１は、透かし彫りの構造であり、底壁１１には、複数の開口１１１が間隔をあけて形成されている。【選択図】図１
0003192586.tif 000002
【実用新案登録請求の範囲】
【請求項１】
底壁と、周壁と、前記底壁及び前記周壁により取り囲まれて形成された収容凹部と、を備える携帯式電子装置用保護ケースであって、
前記底壁は、透かし彫りの構造であり、前記底壁には、複数の開口が間隔をあけて形成されていることを特徴とする携帯式電子装置用保護ケース。
【請求項２】
前記複数の開口の形状及びサイズは互いに異なるか、又は前記複数の開口の一部の開口の形状及びサイズは同じであることを特徴とする請求項１に記載の携帯式電子装置用保護ケース。
【請求項３】
前記底壁は、複数の枠が互いに交差して配置されることによって形成されることを特徴とする請求項１または２に記載の携帯式電子装置用保護ケース。
【請求項４】
前記底壁は、複数の矩形枠が互いに交差して配置されることにより形成され、前記複数の矩形枠の長さ及び幅は互いに異なるか、又は前記複数の矩形枠の一部の矩形枠の長さ及び幅は同じであることを特徴とする請求項３に記載の携帯式電子装置用保護ケース。
【請求項５】
前記底壁は、複数の円形枠が互いに交差して配置されることにより形成され、前記複数の円形枠の半径の長さは互いに異なるか、又は前記複数の円形枠の一部の円形枠の半径の長さは同じであることを特徴とする請求項３に記載の携帯式電子装置用保護ケース。
【請求項６】
前記底壁は、複数の楕円形枠が互いに交差して配置されることにより形成され、前記複数の楕円形枠の長軸及び短軸の長さは互いに異なるか、又は前記複数の楕円形枠のうちの一部の楕円形枠の長軸及び短軸の長さは同じであることを特徴とする請求項３に記載の携帯式電子装置用保護ケース。
【請求項７】
前記携帯式電子装置用保護ケースは、前記底壁の内面に密着するように、前記収容凹部内に装着される保護プレートをさらに備えることを特徴とする請求項１から６のいずれか一項に記載の携帯式電子装置用保護ケース。
【請求項８】
前記保護プレートは、透明な材料から製造され、前記底壁は、金属材料からなり、前記周壁は、熱可塑性ポリウレタン弾性材料又はプラスチックからなり、
前記底壁及び前記周壁は、インサートモールド成型技術によって一体に結合されることを特徴とする請求項７に記載の携帯式電子装置用保護ケース。
【請求項９】
底壁を備える携帯式電子装置用保護ケースであって、前記底壁は、透かし彫りの構造であり、且つ複数の矩形枠、複数の円形枠又は複数の楕円形枠が互いに交差して配置されることにより形成されることを特徴とする携帯式電子装置用保護ケース。
【考案の詳細な説明】
【技術分野】
【０００１】
本考案は、携帯式電子装置に用いられる保護ケースに関するものである。
【背景技術】
【０００２】
携帯電話機等の携帯式電子装置のハウジングは、摩擦又は衝突によって損傷することを防止するために、通常保護ケースを採用して携帯式電子装置の背面または周面をカバーして、携帯式電子装置を保護する。既存の保護ケースは、携帯式電子装置の背面を完全に被覆するため、携帯式電子装置の背面の外観は見えない。
【考案の概要】
【考案が解決しようとする課題】
【０００３】
本考案は、ユーザが携帯式電子装置の背面のデザインを見ることができる携帯式電子装置用保護ケースを提供することを目的とする。
【課題を解決するための手段】
【０００４】
上記の課題を解決するために、本考案に係る携帯式電子装置用保護ケースは、底壁と、周壁と、前記底壁及び前記周壁により取り囲まれて形成された収容凹部と、を備える。前記底壁は、透かし彫りの構造であり、前記底壁には、複数の開口が間隔をあけて形成されている。
【０００５】
また、上記の課題を解決するために、本考案に係る携帯式電子装置用保護ケースは、底壁を備え、前記底壁は、透かし彫りの構造であり、且つ複数の矩形枠、複数の円形枠または複数の楕円形枠が互いに交差して配置されることにより形成される。
【考案の効果】
【０００６】
従来の技術と異なり、本考案の携帯式電子装置用保護ケースは、透かし彫りの底壁を備えるので、携帯式電子装置用保護ケースが携帯式電子装置を囲むように収容した際、ユーザは、透かし彫りの底壁を介して、携帯式電子装置の背面のデザインを見ることができる。
【図面の簡単な説明】
【０００７】
【図１】本考案の第一実施形態に係る携帯式電子装置用保護ケースを背面側から見た斜視図である。
【図２】図１に示した携帯式電子装置用保護ケースを反対側から見た斜視図である。
【図３】本考案の第二実施形態に係る携帯式電子装置用保護ケースの斜視図である。
【図４】本考案の第三実施形態に係る携帯式電子装置用保護ケースの斜視図である。
【考案を実施するための形態】
【０００８】
図１及び図２に示すように、本考案の第一実施形態に係る携帯式電子装置用保護ケース１０は、底壁１１及び底壁１１の周縁を取り囲むように設けられた周壁１３を備える。底壁１１及び周壁１３によって、携帯式電子装置（図示せず）を収容するための収容凹部１５が形成される。
【０００９】
底壁１１は、透かし彫りの構造であり、多くの枠が交差して形成されている。具体的には、第一実施形態において、底壁１１は、多くの矩形枠１１３が互いに交差して配置されることにより形成されている。複数の矩形枠１１３のサイズ（長さ及び幅）は互いに異なっているか、又は一部の矩形枠１１３のサイズ（長さ及び幅）は同じである。これに対応して、底壁１１には、複数の開口１１１が形成されている。複数の開口１１１の形状及びサイズは互いに異なっているか、又は、複数の開口１１１の一部の開口１１１の形状及びサイズは同じである。
【００１０】
底壁１１は、金属材料からなる。周壁１３は、熱可塑性ポリウレタン（ＴＰＵ）弾性材料又は一般のプラスチックからなる。底壁１１は、周壁１３とインサートモールド成型技術によって一体に結合される。また、周壁１３には、複数の貫通孔１３１が間隔をあけて設けられている。携帯式電子装置の押しボタン及び接続ポート等は、貫通孔１３１を介して露出する。
【００１１】
本考案の携帯式電子装置用保護ケース１０は、保護プレート１７をさらに備える。保護プレート１７は、底壁１１の内面に密着するように収容凹部１５内に装着されている。保護プレート１７は、透明なプラスチック等の透明材料から製造される。従って、保護プレート１７は、携帯式電子装置の背面を効果的に保護すると共に、ユーザは、携帯式電子装置の背面のデザインを見ることができる。
【００１２】
また、変形例として、携帯式電子装置用保護ケース１０は、底壁１１のみを備えても良い。この場合、底壁１１は、接着の方式（例えば、両面テープ）によって携帯式電子装置に装着される。
【００１３】
図３に示すように、本考案の第二実施形態に係る携帯式電子装置用保護ケース２０は、第一実施形態の携帯式電子装置用保護ケース１０とほぼ類似する構造を有するが、第一実施形態と異なる部分は、携帯式電子装置用保護ケース２０の底壁２１が、多くの円形枠２１３が互いに交差して配置されることにより形成されていることである。複数の円形枠２１３の半径の長さは互いに異なっているか、又は一部の円形枠２１３の半径の長さは同じである。
【００１４】
図４に示すように、本考案の第三実施形態に係る携帯式電子装置用保護ケース３０は、第一実施形態の携帯式電子装置用保護ケース１０とほぼ類似する構造を有するが、第一実施形態と異なる部分は、携帯式電子装置用保護ケース３０の底壁３１が、多くの楕円形枠３１３が互いに交差して配置されることにより形成されていることである。複数の楕円形枠３１３の長軸及び短軸の長さは互いに異なっているか、又は一部の楕円形枠３１３の長軸及び短軸の長さは同じである。
【００１５】
上記の記載から分かるように、本考案の携帯式電子装置用保護ケース１０、２０及び３０は、透かし彫りの底壁１１、２１、３１を備えるので、携帯式電子装置用保護ケース１０、２０又は３０が携帯式電子装置を囲むように収容した際、ユーザは、透かし彫りの底壁１１、２１、３１を介して、携帯式電子装置の背面のデザインを見ることができる。
【符号の説明】
【００１６】
１０、２０、３０  携帯式電子装置用保護ケース
１１  底壁
１１１  開口
１１３  矩形枠
１３  周壁
１３１  貫通孔
１５  収容凹部
１７  保護プレート
２１、３１  底壁
２１３  円形枠
３１３  楕円形枠
【図１】
0003192586.tif 000003
【図２】
0003192586.tif 000004
【図３】
0003192586.tif 000005
【図４】
0003192586.tif 000006